(57)【要約】【課題】ベゼルの厚みが薄くても表示パネルの側縁にリモコン操作用の導光部やリモコン受光部をベゼルより突出させることなく設置できる。【解決手段】液晶表示装置１０は、液晶表示パネル１１の周囲の側縁に厚みの小さい狭額縁ベゼル１２を設置した。しかも液晶表示パネル１１の下部の側縁にリモコン装置の操作光を入射する入射面２６を有するレンズ２５を配置した。レンズ２５は入射面２６を有する入射側レンズ部２７と液晶表示パネル１１の裏面側に屈曲部２５ａで屈曲して傾斜する出射側レンズ部２８とを有する。出射側レンズ部２８の屈曲部２５ａ側の上面に凹部２８ａを形成して入射光が反射して出射面２９に向かうようにした。出射面２９に対向して出射光を受光する受光レンズ２３ａを備えたリモコン受光部２３ｂを有するリモコン処理部２３を設置し、狭額縁ベゼル１２のフレーム２１の基部２１ａに搭載して被覆した。【選択図】図４
2017161691.tif 000002
【特許請求の範囲】
【請求項１】
表示パネルと、
前記表示パネルの側縁に配置されていて操作用の光を入射する入射面を前記表示パネルの前面に設けた導光部と、
前記表示パネルの裏面側に配置されていて前記導光部の出射面からの出射光を受光するリモコン受光部と、
を備えていることを特徴とする表示装置。
【請求項２】
前記導光部は、前記入射面を備えた入射側レンズ部と、該入射側レンズ部に対して前記表示パネル側に傾斜していて前記出射面を有する出射側レンズ部とを備え、前記出射側レンズ部は入射側レンズ部より肉厚が薄く形成されている請求項１に記載の表示装置。
【請求項３】
前記導光部の出射側レンズ部は前記表示パネル側の面に凹部が形成されている請求項２に記載の表示装置。
【請求項４】
前記リモコン受光部は処理基板に固定され、前記処理基板は前記表示パネルの裏面から側縁を被覆するベゼルに支持されている請求項１から３のいずれか１項に記載の表示装置。
【請求項５】
前記導光部の厚さは前記ベゼルの厚さ以下に設定されている請求項４に記載の表示装置。
【請求項６】
リモコン用の操作光を入射させる導光部を表示パネルの前面側縁に取り付ける工程と、
前記導光部の背面側に操作光を入射させるリモコン受光部とその処理基板を取り付ける工程と、
前記表示パネルの裏面側から前記リモコン受光部とその処理基板を覆うベゼルを取り付ける工程とを備え、
前記導光部は前記ベゼルと同一厚さ以下に設定されていることを特徴とする表示装置の組立方法。
【発明の詳細な説明】
【技術分野】
【０００１】
本発明は、リモコン受光部で遠隔操作を行う表示装置と、この表示装置の組立方法とに関する。
【背景技術】
【０００２】
従来、大型の液晶表示パネルを備えた表示装置などでは、例えば高所等に設置して遠隔操作できるようにリモコン受光部を表示パネルの前面額縁に設置したものが知られている。この表示パネルはランドスケープモード（横置き）やポートレートモード（縦置き）で設置され、上下方向または左右方向の離れた場所からリモコン装置により操作される。リモコン受光部は前面額縁に設けたレンズ部に設置され、リモコン装置からの操作光を受光して表示パネルを操作する制御信号を生成する。
【０００３】
リモコン受光部は、表示装置の前面側から照射される操作光を受光するために、例えば表示パネルの周縁側を覆うベゼルの前面に装着されている（例えば特許文献１参照）。
このような表示装置に設けたリモコン受光部の一例として図１３に記載されたものが提案されている。即ち、図１３（ａ）の表示装置１において、液晶表示パネル２の周縁にベゼル３が装着されている。ベゼル３は液晶表示パネル２の前面側の四辺の周囲を含む側縁を被覆している。
【０００４】
図１３（ａ）、（ｂ）に示すように、液晶表示パネル２の前方のベゼル３の側部に設けた開口にはリモコン操作部４が配置されている。リモコン操作部４の基板４ｃに設けられたリモコン受光部４ｂの前面に受光用のレンズ４ａが設置されている。そして、表示装置から上下方向や左右方向に離れた位置からリモコン装置を操作することで、リモコン受光部４ｂで赤外線等の操作光を受光して制御している。
【先行技術文献】
【特許文献】
【０００５】
【特許文献１】特開２０１５−６００９４号公報
【発明の概要】
【発明が解決しようとする課題】
【０００６】
しかしながら、近年の表示装置では、意匠性向上のために液晶表示パネルの前面額縁がほとんどなく周囲を厚みの小さい額縁で被覆した細ベゼルが使用されているものが設置されている。このような厚みの小さい狭額縁ベゼル内にはリモコン装置の操作光を受光するレンズやリモコン受光部を設置するスペースが設置できなかった。特にリモコン受光部はレンズより大型であるためベゼルより外側に突出してしまい、見栄えが悪いという欠点があった。
【０００７】
本発明は、このような課題に鑑みてなされたものであり、ベゼルの厚みが薄くても表示パネルの側縁にベゼルより突出させることなく導光部やリモコン受光部を設置できるようにした表示装置とその組立方法を提供することを目的とする。
【課題を解決するための手段】
【０００８】
本発明による表示装置は、表示パネルと、表示パネルの側縁に配置されていて操作用の光を入射する入射面を表示パネルの前面側に設けた導光部と、表示パネルの裏面側に配置されていて導光部の出射面からの出射光を受光するリモコン受光部と、を備えていることを特徴とする。
【０００９】
本発明による表示装置の組立方法は、リモコン用の操作光を入射させる導光部を表示パネルの前面側縁に取り付ける工程と、導光部の裏面側にリモコン受光部とその処理基板を取り付ける工程と、表示パネルの裏面側からリモコン受光部とその処理基板を覆うベゼルを取り付ける工程とを備え、導光部はベゼルと同一厚さ以下に設定されていることを特徴とする。
【発明の効果】
【００１０】
本発明によれば、導光部が表示パネルの側縁に配置され、リモコン受光部が表示パネルの裏面側に配置されているため、リモコン受光部がベゼルの厚みより大きくても表示パネルの外側に突出することがなく、導光部を介して入射光をリモコン受光部に入射できるため表示パネルの前面の側縁を薄肉厚で小型化できて外観の見栄えがよい。
【図面の簡単な説明】
【００１１】
【図１】本発明の実施形態による液晶表示装置を示し、（ａ）は斜視図、（ｂ）は同図（ａ）のＡ部拡大図である。
【図２】実施形態による液晶表示装置を裏面側から見た概略分解斜視図である。
【図３】図２に示すＢ部のリモコン処理部を裏面側から見た概略分解斜視図である。
【図４】図１（ｂ）のＤ−Ｄ線断面図である。
【図５】図１（ｂ）のＥ−Ｅ線断面図である。
【図６】（ａ）〜（ｅ）は本発明の実施形態によるリモコン処理部の受光経路を説明する図である。
【図７】（ａ）、（ｂ）は導光用のレンズの参考形状とその光路を示す第一参考図である。
【図８】（ａ）、（ｂ）は導光用のレンズの参考形状とその光路を示す第二参考図である。
【図９】（ａ）、（ｂ）は導光用のレンズの参考形状とその光路を示す第三参考図である。
【図１０】（ａ）は導光用のレンズの参考形状とその光路を示す第四参考図、（ｂ）は実施形態の導光用のレンズである。
【図１１】（ａ）〜（ｄ）は実施形態によるレンズに入射する操作光の角度とリモコン受光部との関係を説明する参考図である。
【図１２】（ａ）〜（ｄ）はレンズ部とリモコン受光部との関係を説明する参考図である。
【図１３】従来の液晶表示装置におけるベゼル部に設けたレンズとリモコン受光部を示す図であり、（ａ）は要部斜視図、（ｂ）は（ａ）で示す構造の分解斜視図である。
【発明を実施するための形態】
【００１２】
以下、本発明の実施形態による表示装置とその組立方法を添付図面を参照して説明する。
図１及び図２は、本発明の実施形態における表示装置として液晶表示装置１０を示す図であり、例えばテレビ画面や電子看板等のディスプレイとして使用するものである。
液晶表示装置１０は、液晶表示パネル１１と、液晶表示パネル１１の裏面側を被覆する裏面被覆部としてのバックカバー１４と、を備えている。液晶表示パネル１１とバックカバー１４の間には、液晶表示パネル１１を駆動制御するメイン基板１５や電源基板１６等が収容されている。液晶表示装置１０の側縁全周が従来よりも更に小さい厚さ（小幅）に形成されたべゼルとしての狭額縁ベゼル１２により被覆されている。
なお、本明細書では、液晶表示装置１０の液晶表示パネル１１の表示面側を前面といい、バックカバー１４側を裏面というものとする。
【００１３】
狭額縁ベゼル１２は、図４に示すように、液晶表示装置１０の裏面側であるバックカバー１４側の側縁を全周に被覆しており、液晶表示パネル１１の前面側の側縁は少なくとも後述する導光用のレンズ２５の部分を除いて被覆されていてもよい（図１（ｂ）参照）。
液晶表示装置１０の下部、例えば中央下部には、液晶表示パネル１１の前面側から裏面側に向けて、リモコン装置で照射される赤外光等の操作光を入射して導光する導光部としてレンズ２５が設置され、レンズ２５の後方にはレンズ２５で導光された操作光を受光してリモコン信号を処理するリモコン処理部２３が配列されている。しかも、リモコン処理部２３は狭額縁ベゼル１２で覆われているが、レンズ２５の部分は覆われていない。図１（ｂ）に示す液晶表示パネル１１の前面において、その周囲を覆う狭額縁ベゼル１２のレンズ２５の両側付近を切り欠いた端部１２ａが形成されている。
【００１４】
図３乃至図５により、レンズ２５及びリモコン処理部２３について説明する。
リモコン処理部２３は、液晶表示パネル１１の裏面側に配置され、狭額縁ベゼル１２の一部である断面略Ｌ字状のフレーム２１の基部２１ａの上に搭載され固定されている。レンズ２５については後述する。リモコン処理部２３は、レンズ２５の出射面２９に対向配置された受光レンズ２３ａを備えたリモコン受光部２３ｂと、リモコン受光部２３ｂを固定した処理基板２３ｃとを備えている。受光レンズ２３ａはレンズ２５から出射されるリモコン装置の操作光を集光させてリモコン受光部２３ｂに受光させる。
リモコン受光部２３ｂで受光した操作光は処理基板２３ｃで光電変換され、液晶表示パネル１１の制御信号を生成してメイン基板１５や電源基板１６に伝達して駆動制御させる。    
【００１５】
レンズ２５は、液晶表示パネル１１の前面に設置された入射面２６からリモコン装置の操作光を入力させて、リモコン処理部２３の受光レンズ２３ａに対向する出射面２９から出射させる略柱状の導光用レンズである。
図１（ｂ）に示すように、レンズ２５の入射面２６は、前面下部に設けた狭額縁ベゼル１２の切欠部内に配置されている。入射面２６は狭額縁ベゼル１２の前面側の端面と略面一に配置されている。
【００１６】
レンズ２５は、図４に示すように前面側からリモコン受光部２３ｂに向けて、入射面２６を有する略角柱形状の入射側レンズ部２７と、入射側レンズ部２７に対して屈曲部２５ａで液晶表示パネル１１側に屈曲して傾斜していて後端部に出射面２９を有する出射側レンズ部２８とを有している。しかも、入射側レンズ部２７の厚み（高さｈ１）に対して出射側レンズ部２８の厚み（高さｈ２）が小さく形成されている。
【００１７】
出射側レンズ部２８において屈曲部２５ａの上面である液晶表示パネル１１側を一部切除した凹部２８ａが形成され、この部分の厚みｈ３は厚みｈ２より小さい。凹部２８ａに液晶表示パネル１１の裏面側下端部が当接しているか近接して配置されており、出射側レンズ部２８の凹部２８ａと対向する下面の範囲によってレンズ２５を透過する操作光の導光経路及び受光経路を妨げない範囲が設定される。
そして、凹部２８ａの出射面２９側では厚みｈ２となる出射側部２８ｂが形成されている。出射側レンズ部２８の下面はリモコン処理部２３を搭載したフレーム２１の基部２１ａの先端面に当接させて位置決め固定する。
【００１８】
これにより、図６（ａ）〜（ｅ）に示すようにレンズ２５の入射面２６から入射するリモコン装置の操作光は、入射角度に関わらず、入射側レンズ部２７を通過するか反射し、入射側レンズ部２７よりも出射側レンズ部２８の肉厚が小さいことで更に反射等によって操作光の進路を出射面２９方向に導くことができる。
【００１９】
入射側レンズ部２７内で反射しながら進行する操作光は、出射側レンズ部２８の凹部２８ａの領域に至ると厚みｈ３が小さいためよく反射して出射面２９方向に導かれる。出射側部２８ｂでは凹部２８ａよりも肉厚ｈ２が大きくなるので、操作光が出射面２９から広い範囲で出射されて確実に受光レンズ２３ａに入射するように光路を制御される。
図６（ａ）〜（ｅ）に示す操作光において、レンズ２５を導光されて受光レンズ２３ａに届く光線ａ１と届かない光線ａ２を模様分けしており、操作光が種々の角度で入射面２６に入射しても所定の幅と光量を有する光線ａ１を確実に受光レンズ２３ａに入射させることができる。
【００２０】
次に、このような液晶表示装置１０の組立方法について説明する。
図２に示すように、液晶表示パネル１１の裏面にメイン基板１５と電源基板１６を接続する。また、図３に示すように、受光レンズ２３ａを備えたリモコン受光部２３ｂと処理基板２３ｃとを有するリモコン処理部２３をそれぞれフレーム２１の基部２１ａに搭載して狭額縁ベゼル１２と共に固定する。
【００２１】
レンズ２５及びリモコン処理部２３が固定されたフレーム２１に狭額縁ベゼル１２を固定する。そして、狭額縁ベゼル１２の裏面側にバックカバー１４を装着して裏面を覆い、ネジ等で固定する。
なお、液晶表示装置１０の組立工程は上述したものに限定されることなく、適宜の工程を経て組み立てることができる。
【００２２】
本実施形態による液晶表示装置１０は上述した構成を備えており、次にその作用について説明する。
本実施形態による液晶表示装置１０は、予めランドスケープモードやポートレートモードで離間した位置に設置しておく。そして、前面側の上下方向や左右方向に離れた場所からリモコン装置を操作することで、例えば赤外線等の操作光を表示装置のレンズ２５の入射面２６に向けて照射する。
【００２３】
図６（ａ）〜（ｅ）はレンズ２５の入射面２６に入射するリモコン装置の操作光の角度や方向が種々異なる場合における操作光の進路を模式的に示すものである。図６（ａ）〜（ｅ）で模式的に示すように、操作光の幅方向の一部がリモコン処理部２３の受光レンズ２３ａに入射する光線ａ１であり、残りの一部がリモコン処理部２３の受光レンズ２３ａに入射しない光線ａ２となる。図６（ａ）〜（ｅ）には、入射面２６を有する入射側レンズ部２７の中心軸線に対する操作光の入射角度が０度、下側及び上側から３０度、４５度の場合について示している。
【００２４】
図６（ａ）は操作光の入射角度が０度の場合であり、操作光がレンズ２５の入射面２６に直角に入射すると、入射側レンズ部２７と平行に進み、出射側レンズ部２８の下面で反射して出射側部２８ｂで再度反射して出射面２９から出射してリモコン処理部２３の受光レンズ２３ａに入射し、リモコン受光部２３ｂで受光される。そのため、リモコン処理部２３の処理基板２３ｃで操作光の受光と処理を確実に行える。
【００２５】
図６（ｂ）は入射角度が下側３０度の場合であり、操作光がレンズ２５の入射面２６に入射すると、入射側レンズ部２７の上面で反射し、出射側レンズ部２８の上面、凹部２８ａ、下面、出射側部２８ｂの上面で順次反射してリモコン処理部２３の受光レンズ２３ａに入射し、リモコン受光部２３ｂで受光される。
図６（ｃ）は入射角度が上側３０度の場合であり、操作光がレンズ２５の入射面２６に入射して入射側レンズ部２７の下面で反射する。そして、光線ａ２は出射側レンズ部２８で反射することなく透過して外れるが、光線ａ１は出射側レンズ部２８の出射側部２８ｂ下面で反射して出射面２９からリモコン処理部２３の受光レンズ２３ａに入射し、リモコン受光部２３ｂで受光される。
【００２６】
図６（ｄ）は入射角度が下側４５度の場合であり、操作光がレンズ２５の入射面２６に入射すると、入射側レンズ部２７の上下面で反射し、光線ａ２は出射側レンズ部２８でも反射して受光レンズ２３ａから外れるが、光線ａ１は反射することなく出射面２９からリモコン処理部２３の受光レンズ２３ａに入射し、リモコン受光部２３ｂで受光される。
図６（ｅ）は入射角度が上側４５度の場合であり、操作光がレンズ２５の入射面２６に入射して入射側レンズ部２７の下面で反射する。そして、光線ａ２は上面でも反射して出射側レンズ部２８を透過して外れるが、光線ａ１は出射側レンズ部２８を通過して出射面２９からリモコン処理部２３の受光レンズ２３ａに入射し、リモコン受光部２３ｂで受光される。
【００２７】
従って、本実施形態のレンズ２５では、前面の入射面２６に種々の方向から入射した操作光の一部の光線ａ１を確実にリモコン処理部２３に導光することができる。
そして、リモコン処理部２３では、レンズ２５の出射面２９からの操作光を受光レンズ２３ａで受光し、リモコン受光部２３ｂ及び処理基板２３ｃで光電変換して制御信号が生成され、液晶表示パネル１１のメイン基板１５と電源基板１６に伝達されて液晶表示パネル１１の駆動制御が実行される。
【００２８】
上述のように本実施形態による液晶表示装置１０における導光部としてのレンズ２５によれば、入射するリモコン装置の操作光を確実にリモコン処理部２３の受光レンズ２３ａに導くことができる。このレンズ２５の形状を採用するに至った理由と根拠について図７から図１２に示すレンズ２５の参考形状に基づいて説明する。
導光用のレンズ２５は液晶表示パネル１１の側縁に設ける狭額縁ベゼル１２の幅が小さいため、入射側レンズ部２７の厚みｈ１を小さくし且つ液晶表示パネル１１の裏面側に設置したリモコン処理部２３の受光レンズ２３ａへ操作光を入射させるために出射側レンズ部２８を液晶表示パネル１１側に屈曲して傾斜させるという基本形状が必要である。
【００２９】
まず、図７（ａ）では、レンズ２５Ａは屈曲部２５ａで液晶表示パネル１１側に屈曲して出射面２９が受光レンズ２３ａに対面したものであり、しかも入射面２６から傾斜部の出射面２９までを同一厚さｈ１に設定した。また、図７（ｂ）では更にレンズ２５Ｂの入射側レンズ部２７から出射側レンズ部２８に至る下面の屈曲部２５ａに凸曲面を形成した。
この場合、レンズ２５Ａでは、入射角０度で入射面２６に直角な光として入射する操作光は出射面２９で反射して受光レンズ２３ａを外れてしまう。レンズ２５Ｂでは同様な操作光が入射すると、更に屈曲部２５ａの凸曲面で反射して光反射角度が変化するため、やはり受光レンズ２３ａに到達しないという欠点がある。
【００３０】
次に図８（ａ）では、レンズ２５Ｃは入射側レンズ部２７の厚みｈ１に対して屈曲部２５ａで上方に傾斜する出射側レンズ部２８の下面側を切除することで厚みを小さく設定した。図８（ｂ）のレンズ２５Ｄでは、更に屈曲部２５ａの上面側を略Ｖ字に切除した凹部２８ｐを形成して上下両面側で出射側レンズ部２８の厚みを小さくした。
この場合、入射角０度の操作光は、レンズ２５Ｃ、２５Ｄの出射側レンズ部２８の厚みを小さくしたことで、入射側レンズ部２７を通過する入射光が出射側レンズ部２８で反射し易くなり、一部の光線ａ１が受光レンズ２３ａに到達することになり、好ましいといえる。
【００３１】
次に、図９（ａ）において、図８（ａ）に示すものと同一形状のレンズ２５Ｃにおいて、入射面２６に対して下側から略３０度の傾斜角で操作光が入射する場合、入射面２６に入射する操作光のうちレンズ２５Ｃ内で反射して受光レンズ２３ａに入射する光線ａ１の量が、図８（ａ）に示す入射角０度の場合よりも少なかった。一方、図８（ｂ）に示すものと同一形状のレンズ２５Ｄにおいて、下側から略３０度の傾斜角で操作光が入射面２６に入射する場合、出射側レンズ部２８の厚みを上下面で切除して薄く形成したため、同図（ａ）と比較して受光レンズ２３ａに入射する光線ａ１の量が多かった。受光レンズ２３ａへの光線ａ１の入射量が多い方がより確実に操作光を入射できて好ましい。
【００３２】
これらの試験結果を考慮すると、導光用のレンズ２５について、図１０（ａ）に示すレンズ２５Ｄのように、入射面２６を有する入射側レンズ部２７の厚みｈ１に対して液晶表示パネル１１側に屈曲して傾斜する出射面２９を有する出射側レンズ部２８の厚みｈ２を小さくすることが受光レンズ２３ａへ光線ａ１を確実に入射させ且つ入射する光線ａ１の量を確保する上で好ましい。
【００３３】
更に出射側レンズ部２８の出射面２９から受光レンズ２３ａに入射する光線ａ１の量を増加させるためには、図１０（ｂ）に示す本実施形態によるレンズ２５に示すように、出射側レンズ部２８の屈曲部２５ａの上面側に凹部２８ａを形成して厚みｈ３（＜ｈ２＜ｈ１）をより小さくすることが好ましい。これによって、入射面２６への操作光の入射角度によらず、出射側レンズ部２８の凹部２８ａの領域での反射を行わせることで確実に光を厚さｈ２が比較的大きい出射側部２８ｂへ導いて出射面２９での出射光を増大させて受光レンズ２３ａへの入射量を増大させることができるといえる。
本実施形態における導光用のレンズ２５の形状はこのようにして設定された。
【００３４】
次にレンズ２５の水平方向の幅を図１１により検討する。
本実施形態によるレンズ２５は、水平方向の幅Ｗを狭額縁ベゼル１２の幅(厚み)と同じに設定した。この幅Ｗは、リモコン処理部２３における受光レンズ２３ａの幅と同程度か若干幅広に設定した。しかも、レンズ２５は細長い略直方体形状とし、屈曲部２５ａで屈曲して傾斜させている。レンズ２５を細長い略直方体形状とすることで安定して操作光を入射面２６から入射させることができる。
【００３５】
この場合、図１１（ａ）、（ｂ）に示すように、レンズ２５の入射側レンズ部２７の中心軸に対して左側約３０度、そして右側略３０度の入射角で入射した場合、レンズ２５の内部で反射して受光レンズ２３ａに導かれる光線ａ１の必要量を確保できる。
また、図１１（ｃ）、（ｄ）に示すように、レンズ２５の入射側レンズ部２７の中心軸に対して左側約４５度、そして右側略４５度の入射角で入射した場でも、レンズ２５の内部で反射して受光レンズ２３ａに導かれる光線ａ１の量を確保できる。
【００３６】
次に、比較例として、図１２（ａ）、（ｂ）に示す比較用のレンズ２５Ｅのように受光レンズ２３ａに対して幅が３倍以上広いと、入射面２６に入射する操作光はレンズ２５Ｅの両側面で反射して出射面２９から出射する光の位置のずれが大きくなるため、リモコン装置の操作光の幅を大きくしないと受光レンズ２３ａを外れるおそれがあり、好ましくない。
また、図１２（ｃ）、（ｄ）に示すように比較用のレンズ２５Ｆを入射面２６から出射面２９に向けて先細となるように平面視テーパ状に形成すると、レンズ２５Ｆ内の側面での反射光が出射面２９から外れてしまい、受光レンズ２３ａに到達できない欠点が生じる。
【００３７】
上述したように本実施形態の液晶表示装置１０によれば、導光用のレンズ２５を液晶表示パネル１１の下方の側縁に配置して出射面２９を液晶表示パネル１１側に傾斜させてその裏面側のリモコン処理部２３の受光レンズ２３ａに対向させたため、リモコン装置の操作光の入射角度によらず確実に受光して駆動制御することができる。
そのため、リモコン受光部２３ｂや処理基板２３ｃが狭額縁ベゼル１２の厚み(幅)より大きくても、液晶表示パネル１１の裏面でフレーム２１の基部２１ａに搭載したため、狭額縁ベゼル１２の外側に突出させることなく覆うことができて外観の見栄えがよい。また、レンズ２５は前面から見て液晶表示パネル１１の下部に設けた厚みの小さい狭額縁ベゼル１２間に挟まれて配置したので、レンズ２５は狭額縁ベゼル１２と一体的に視認されて外観の見栄えがよい。
【００３８】
また、レンズ２５（の入射側レンズ部２７）の厚みを狭額縁ベゼル１２の厚み(幅)と同一に設定したため、レンズ２５が狭額縁ベゼル１２より外側に突出することがなく、この点でも外観の見栄えが良い。
しかも、液晶表示パネル１１の側縁に設けたレンズ２５は厚みｈ１の入射側レンズ部２７に対して傾斜する出射側レンズ部２８の厚みｈ２を小さくし且つ厚みｈ３のより小さい凹部２８ａを屈曲部２５ａに設けた。そのため、レンズ２５に入射する操作光の多くを反射させつつ出射面２９へ導くことができる。しかも出射側レンズ部２８の出射面２９を有する出射側部２８ｂを凹部２８ａより大きくしたので、凹部２８ａを通過した光について出射面２９からの出射光を多くして受光レンズ２３ａに確実に入射できる。
【００３９】
なお、本発明は上述の実施形態による液晶表示装置１０に限定されることはなく、本発明の要旨を変更しない範囲で適宜の変更や置換等が可能であり、これらはいずれも本発明に含まれる。以下に、本発明の実施形態に用いた部品、部材と同一または同様な部品、部材には同一の符号を用いてその変形例を説明する。
【００４０】
例えば上述した実施形態では、リモコン装置の操作光として赤外線を用いたが、特に限定されるものではなく、可視光や紫外光等でもよく、レンズ２５を通して受光可能であれば特に限定されない。
また、上述の実施形態では、リモコン装置の操作光を入射させる導光部としての導光用のレンズ２５を液晶表示パネル１１の側縁である下側に設置したが、これに代えて液晶表示パネル１１の両側部の一方の側縁に設置してもよいし、上部の側縁に設置してもよい。
【００４１】
なお、上述した実施形態では、導光部としてのレンズ２５の出射側レンズ部２８の屈曲部２５ａ側の上面に凹部２８ａを形成したが、凹部は省略してもよい。この場合でも図１０（ａ）に示すレンズ２５Ｄのように厚みの比較的小さい出射側レンズ部２８を通して操作光を受光レンズ２３ａに導くことができる。
また、導光部を構成するレンズ２５は反射特性を有していれば必ずしも集光機能等のレンズ特性を必要とせず、入射光をリモコン処理部２３のリモコン受光部２３ｂに設けた受光レンズ２３ａに導くものであればプリズムやミラー等の光学部材を用いてもよい。
また本実施形態では、被覆部としての狭額縁ベゼル１２にリモコン処理部２３を基部２１ａに搭載し被覆して固定したフレーム２１を設置したが、フレーム２１を設けずに狭額縁ベゼル１２に基部を形成して直接リモコン処理部２３を搭載させて被覆してもよい。また、導光部の設置部の周囲に狭額縁ベゼル１２を設置しなくてもよい。
【符号の説明】
【００４２】
１０  液晶表示装置
１１  液晶表示パネル
１２  狭額縁ベゼル
１４  バックカバー
２１  フレーム
２３  リモコン処理部
２３ａ  受光レンズ
２３ｂ  リモコン受光部
２３ｃ  処理基板
２５  レンズ
２５ａ  屈曲部
２６  入射面
２７  入射側レンズ部
２８  出射側レンズ部
２８ａ  凹部
２８ｂ  出射側部
２９  出射面
【図１】
2017161691.tif 000003
【図２】
2017161691.tif 000004
【図３】
2017161691.tif 000005
【図４】
2017161691.tif 000006
【図５】
2017161691.tif 000007
【図６】
2017161691.tif 000008
【図７】
2017161691.tif 000009
【図８】
2017161691.tif 000010
【図９】
2017161691.tif 000011
【図１０】
2017161691.tif 000012
【図１１】
2017161691.tif 000013
【図１２】
2017161691.tif 000014
【図１３】
2017161691.tif 000015